(57)【要約】【課題】バッジと塗装の境界ラインの隙間がなく、さらに、バッジの印刷層が塗料に含まれるシンナーなどで侵食されることが無く、外観品質に優れた空気調和機を提供する。【解決手段】透明樹脂で成形され裏面に凹部１１を有するパネル２を備え、前記凹部１１の底部に両面テープ８と透明シート７を順に貼付け、前記透明シート７の上層に、下面に印刷層６を有し上面に保護シート４を貼付したバッジ３を貼付けた後、裏面塗装し、その後、前記保護シート４を剥離するもので、塗装面とバッジ３の外形ラインの境界に隙間なく塗料が流れこみ、塗装の中にバッジ３が埋没した状態となるため、バッジ３と塗装の境界ラインの隙間がなくなり、さらに、透明シート７により、裏面塗装時の塗料９の溜まり量以上にバッジの印刷層６が嵩上げされるので、印刷層６が塗料９に含まれるシンナーなどの溶剤で侵食されることが無く、外観品質が著しく向上する。【選択図】図４
2008196725.tif 000002
【特許請求の範囲】
【請求項１】
透明樹脂で成形され裏面に凹部を有するパネルを備え、前記凹部の底部に両面テープと透明シートを順に貼付け、前記透明シートの上層に、下面に印刷層を有し上面に保護シートを貼付したバッジを貼付けた後、裏面塗装し、その後、前記保護シートを剥離することを特徴とする空気調和機。
【発明の詳細な説明】
【技術分野】
【０００１】
本発明は、空気調和機に関するもので、特に、裏面から塗装を施される透明パネルを具備する空気調和機に関するものである。
【背景技術】
【０００２】
従来のこの種の空気調和機においては、透明樹脂で成形されたパネルの一部を透過させて見せる構造となっている場合、前記パネルの裏面にマスキングテープを貼り、塗装を実施した後、マスキングテープを剥離し、表面へバッジを貼り付け、裏面のマスキングテープ貼付け部位の塗装剥離、カエリを隠蔽するように構成されている。あるいは、マスキングテープ剥離後、裏面から貼り付けても貼付け外形が目立たないように、パネル裏面の外形周囲へシボ加工を施すことで暈しているが、バッジ貼り付けズレにより隙間が透過してラインが見えたり、マスキングテープ剥離後に、外形ライン端面の剥離・カエリにより外形ラインがガタガタになり見栄えが悪くなるなどの問題があった。
【０００３】
この問題を解消するために、図５に示すように、パネルの裏面に設けた凹部にバッジを貼り付けた後、塗装を施すようにしたものがある（例えば、特許文献１参照）。
【０００４】
図５は、従来の空気調和機のパネルのバッジ貼付け部の断面図である。図５において、透明樹脂で成形されたパネル２の裏面の一部に凹部１１を設け、その凹部１１の底に透明な両面テープ８を貼り、その上に、バッジ３を貼り付けた後、パネル２の裏面から塗料９を用いて塗装し、最後に、バッジ３の上面に予め貼られていた保護シート４を剥離するようにしたもので、バッジ３の裏から光を当て透過させて光らせる等の工夫が可能となる。尚、バッジ３は、基材５と、基材５の下面に施された印刷層６と、基材５の上面に貼られた上記保護シート４から構成されている。
【特許文献１】特開平６−９２０１４号公報
【発明の開示】
【発明が解決しようとする課題】
【０００５】
しかしながら、上記従来の空気調和機の構成では、バッジ３を貼り付けた状態で、裏面へ塗装を実施すると、図５で示すように塗料９がバッジ３とパネル２の凹部１１との間にできた溝１２に溜まり、その結果、印刷層６に塗料９が触れ、塗料９に含まれたシンナーがバッジ３の印刷層６を侵して塗料９が印刷層６に滲んだように入りこみ外観、見栄えが非常に悪くなるという課題があった。
【０００６】
本発明は、上記従来の課題を解決するもので、バッジと塗装の境界ラインの隙間がなく、さらに、バッジの印刷層が塗料に含まれるシンナーなどの溶剤で侵食されることが無く、外観品質に優れた空気調和機を提供することを目的とする。
【課題を解決するための手段】
【０００７】
前記従来の課題を解決するために、本発明の空気調和機は、透明樹脂で成形され裏面に凹部を有するパネルを備え、前記凹部の底部に両面テープと透明シートを順に貼付け、前記透明シートの上層に、下面に印刷層を有し上面に保護シートを貼付したバッジを貼付けた後、裏面塗装し、その後、前記保護シートを剥離するもので、塗装面とバッジの外形ラインの境界に隙間なく塗料が流れこみ、塗装の中にバッジが埋没した状態となるため、バッジと塗装の境界ラインの隙間がなくなり、さらに、透明シートにより、裏面塗装時の塗料の溜まり量以上にバッジの印刷層が嵩上げされるので、印刷層が塗料に含まれるシンナーなどの溶剤で侵食されることが無く、外観品質が著しく向上する。
【発明の効果】
【０００８】
本発明の空気調和機は、バッジと塗装の境界ラインの隙間がなく、さらに、バッジの印刷層が、塗料に含まれるシンナーなどで侵食されることが無く、外観品質に優れたものである。
【発明を実施するための最良の形態】
【０００９】
第１の発明は、透明樹脂で成形され裏面に凹部を有するパネルを備え、前記凹部の底部に両面テープと透明シートを順に貼付け、前記透明シートの上層に、下面に印刷層を有し上面に保護シートを貼付したバッジを貼付けた後、裏面塗装し、その後、前記保護シートを剥離するもので、塗装面とバッジの外形ラインの境界に隙間なく塗料が流れこみ、塗装の中にバッジが埋没した状態となるため、バッジと塗装の境界ラインの隙間がなくなり、さらに、透明シートにより、裏面塗装時の塗料の溜まり量以上にバッジの印刷層が嵩上げされるので、印刷層が塗料に含まれるシンナーなどの溶剤で侵食されることが無く、外観品質が著しく向上する。
【００１０】
以下、本発明の実施の形態について、図面を参照しながら説明する。なお、この実施の形態によって本発明が限定されるものではない。
【００１１】
（実施の形態１）
図１は、本発明の実施の形態１における空気調和機の室内機の正面外観図、図２は、同室内機のパネル裏面視図、図３は、図２のＡ−Ａ線断面図、図４は、同パネルのバッジ貼付け部の断面構成図である。
【００１２】
図１〜図４において、本実施の形態における空気調和機の室内機１は、前面に透明樹脂で成形されたパネル２を具備し、このパネル２の裏面の中央あるいはその他の位置に凹部１１を設けている。この凹部１１の底部に、透明な両面テープ８と、ＰＥＴ、ＰＣなどからなる透明シート７を順に貼付け、その透明シート７の上層に、バッジ３を貼り付けた後、パネル２の裏面から、塗料９で塗装が施される。
【００１３】
バッジ３は、下面に透過印刷からなる印刷層６が施され透明素材からなる基材５で作成され、パネル２の裏面からの塗装後に、基材５の上面に予め貼り付けていた保護シート４を剥離すれば、バッジ３の裏から光を当て透過させて光らせる等の工夫が可能となる。
【００１４】
以上のように、本実施の形態によれば、図４に示すように、両面テープ８と印刷層６との間に、透明シート７を挟みこんでいるので、塗料９の溜まり量以上に印刷層６が嵩上げされ、塗料９が、印刷層６に接触しなくなるか、あるいは、接触する量を大幅に少なくすることができるので、印刷層６が、塗料９に含まれるシンナーなどの溶剤で侵食されるのを抑えることができる。それにより、バッジ３と塗装の境界ラインに隙間が無くなり、印刷層６への塗料９による侵食を抑えることで、外観品質向上を図ることができる。
【産業上の利用可能性】
【００１５】
本発明にかかる空気調和機は、バッジと塗装の境界ラインの隙間がなく、さらに、バッジの印刷層が、塗料に含まれるシンナーなどで侵食されることが無く、外観品質に優れたもので、空気調和機以外でも、裏面から塗装が施される透明外装部品を有する各種機器に利用可能である。
【図面の簡単な説明】
【００１６】
【図１】本発明の実施の形態１における空気調和機の室内機の正面外観図
【図２】同室内機のパネル裏面視図
【図３】図２のＡ−Ａ線断面図
【図４】同パネルのバッジ貼付け部の断面構成図
【図５】従来の空気調和機のパネルのバッジ貼付け部の断面図
【符号の説明】
【００１７】
１  室内機（空気調和機）
２  パネル
３  バッジ
４  保護シート
５  基材
６  印刷層
７  透明シート
８  両面テープ
９  塗料
１１  凹部
【図２】
2008196725.tif 000003
【図３】
2008196725.tif 000004
【図１】
2008196725.tif 000005
【図４】
2008196725.tif 000006
【図５】
2008196725.tif 000007